(57)【要約】【課題】インターネットからの制御を受ける環境に無い録画機に対し、遠隔地から人為的手段をもって録画・録画予約をする場合、直接操作する者に録画したい番組情報を正しく伝え、人為的な録画操作の手間と操作ミスを無くすことが必要となる。【解決手段】ＥＰＧ等の番組データを取得するＥＰＧデータ読み込み手段およびユーザーが選択した番組に関する指定番組情報を電子メールに添付して受信側携帯端末に送信する送信手段を具備した送信側携帯型端末と、送信された指定番組情報を取得する取得手段および録画機の制御情報を指定番組情報と共に録画機に出力する手段を具備した受信側携帯型端末とを用いて遠隔録画可能な録画設定システムを構成する。【選択図】図１
2006060357.tif 000002
【特許請求の範囲】
【請求項１】
インターネットを利用して特定のコンテンツに接続することによりＥＰＧデータを取得するＥＰＧデータ読み込み手段、取得された番組情報を表示部に表示する表示制御手段、表示された番組情報から録画したい番組を指定するＥＰＧデータ選択手段、かつ選択した番組に関する番組情報を電子メールに添付する手段を具備したことを特徴とする携帯型端末装置。
【請求項２】
ＴＶ放送を受信し、放送波にあるＥＰＧデータを取り込み復元することができるチューナー機能を有するもので、取得するＥＰＧデータ読み込み手段、取得された番組情報を表示部に表示する表示制御手段、表示された番組情報から録画したい番組を指定するＥＰＧデータ選択手段、かつ選択した番組に関する番組情報を電子メールに添付する手段を具備したことを特徴とする携帯型端末装置。
【請求項３】
請求項１、２をどちらか満たすもので、取得したＥＰＧデータから選択したい番組を検索できる手段、かつその結果を表示できうる手段を有することを特徴とした携帯型端末装置。
【請求項４】
ＥＰＧデータの代わりにＧ−コードを録画指定番組情報として置き換える場合、Ｇ−コードを録画・録画予約用の雛形を持つ電子メールに直接入力し、録画指定番組情報を作成できる手段と、その番組情報を電子メールに添付する手段を具備したことを特徴とする携帯型端末装置。
【請求項５】
送信された録画指定番組情報が添付された電子メールの取得手段、添付情報を展開できる手段、展開した情報から録画を承諾するかを受信者に選択させる手段と、電子メールの内容または添付情報から録画選択を受信者に問うことを表示させる手段と、録画を選択した場合に録画したい録画機の制御情報を番組情報と共に付加させる手段と、その付加された情報をリモコン、または近距離無線装置に出力させる手段を具備したことを特徴とする携帯型端末装置。
【請求項６】
メール機能または外部メモリ装着部を有し、送信された録画指定番組情報が添付された電子メールから録画指定番組情報をデコードできる手段をもつ装置。
【請求項７】
電子メール機能または外部メモリ装着部を有し、録画指定番組情報と録画機の制御情報から録画・録画予約を録画機に行わせることができる情報へデータの変換ができる機能を有する装置。
【発明の詳細な説明】
【技術分野】
【０００１】
本発明は、電子番組ガイド（ＥＰＧ）データ、Ｇ−コードを用いて録画予約、録画する装置に関する。またインターネットを利用した録画・録画予約システムにも関する。
【背景技術】
【０００２】
ＥＰＧデータを取得しインターネットを利用して、遠隔地から録画機を直接制御し、録画または録画予約させるシステムがある（例えば、特許文献１を参照）。
【０００３】
特にｉ−ｍｏｄｅ（登録商標）機能が付いた携帯電話を用いてＥＰＧデータをインターネットから取り出し、録画機にインターネットを介して録画予約をさせることが可能である。
【０００４】
しかし、インターネットを介して録画予約をさせる場合、当然録画機が設定してある場所では、インターネットに常時接続させ、また録画機もインターネットから制御を受けるような環境でなければ上述した録画・録画予約は可能でない。
【特許文献１】特開２００２−２５２７８９号公報
【発明の開示】
【発明が解決しようとする課題】
【０００５】
インターネットからの制御を受ける環境に無い録画機を遠隔地から録画・録画予約をさせる場合、人為的な手段で録画機を直接扱い録画・録画予約をするしかない。
【０００６】
しかし、人為的な手段で録画・録画予約をする場合、電話もしくは電子メール等の伝達手段では録画して欲しい番組情報を正しく伝えることができずに、録画できていなかったり、録画機を正しく扱えない為に非常に手間が掛かったりすることが往々にしてある。
【０００７】
そこで本発明は、上記の課題に対処する為に、録画したい番組情報を正しく伝え、人為的な録画操作の手間と操作ミスを無くすことを目的とするものである。
【課題を解決するための手段】
【０００８】
請求項１の発明による携帯型端末装置は、インターネットを利用して特定のコンテンツに接続することによりＥＰＧデータを取得するＥＰＧデータ読み込み手段、取得された番組情報を表示部に表示する表示制御手段、表示された番組情報から録画したい番組を指定するＥＰＧデータ選択手段、かつ選択した番組に関する番組情報を電子メールに添付する手段を具備したものである。
【０００９】
この発明では、携帯電話、パーソナルコンピュータ等が有する通信手段を用いてＥＰＧデータを読み取り、その読み取ったデータを表示、録画したい番組を選択、その結果を電子メールによって第三者へ送信し、第三者が録画機に録画したい番組の情報を送信することで、インターネットからの制御を受ける環境に無い録画機を遠隔地から録画・録画予約をさせることが可能になる。
【００１０】
請求項２の発明による携帯型端末装置は、ＴＶ放送波を受信し、放送波にあるＥＰＧデータを取り込み復元することができるチューナー機能を有するもので、取得するＥＰＧデータ読み込み手段、取得された番組情報を表示部に表示する表示制御手段、表示された番組情報から録画したい番組を指定するＥＰＧデータ選択手段、かつ選択した番組に関する番組情報を電子メールに添付する手段を具備したものである。
【００１１】
この発明では、放送波を受信することが可能な携帯端末等によりＥＰＧデータを読み取り、その読み取ったデータを表示、録画したい番組を選択、その結果を電子メールによって第三者へ送信し、第三者が録画機に録画したい番組の情報を送信することで、インターネットからの制御を受ける環境に無い録画機を遠隔地から録画・録画予約をさせることが可能になる。
【００１２】
請求項３の発明による携帯型端末装置は、請求項１、２をどちらか満たすもので、取得したＥＰＧデータから選択したい番組を検索できる手段、かつその結果を表示できうる手段を有するものである。
【００１３】
この発明では、インターネットに接続することが可能な、または放送波を受信することが可能な携帯端末等によりＥＰＧデータを読み取り、その読み取ったデータを表示、録画したい番組を検索し選択することができる。その結果を電子メールによって第三者へ送信し、第三者が録画機に録画したい番組の情報を送信することで、インターネットからの制御を受ける環境に無い録画機を遠隔地から録画・録画予約をさせることが可能になる。
【００１４】
請求項４の発明による携帯型端末装置は、ＥＰＧデータの代わりにＧ−コードを録画指定番組情報として置き換える場合、Ｇ−コードを録画・録画予約用の雛形を持つ電子メールに直接入力し、録画指定番組情報を作成できる手段と、その番組情報をメールに添付する手段を具備するものである。
【００１５】
この発明では、携帯電話、パーソナルコンピュータ等により、録画したい番組のＧ−コードを新聞・雑誌、インターネット上の特定コンテンツ等により入手、そのＧ−コードを録画指定番組情報として取り扱うことが出来る所定のフォーマットで電子メールを第三者へ送信し、第三者が録画機に録画したい番組の情報を送信することで、インターネットからの制御を受ける環境に無い録画機を遠隔地から録画・録画予約をさせることが可能になる。
【００１６】
請求項５の発明による携帯型端末装置は、送信された録画指定番組情報が添付された電子メールの取得手段、添付情報をデコードできる手段、展開した情報から録画を承諾するかを受信者に選択させる手段と、電子メールの内容または添付情報から録画選択を受信者に問うことを表示させる手段と、録画を選択した場合に録画したい録画機の制御情報を番組情報と共に付加させる手段と、その付加された情報をリモコン、または近距離無線装置に出力させる手段を具備するものである。
【００１７】
この発明では、電子メール機能、リモコン機能が付いた携帯電話等により、電子メールにより受信した録画指定番組情報をデコードし、その内容を表示部へ表示させ、録画依頼を承諾するかを問うことを表示させる手段を用いる。また録画依頼元へ録画が承諾されたかどうかを電子メールにより返信することも機能として付け加えることも可能である。承諾後には録画機の制御情報を番組情報と共に付加させ、リモコン機能のモードに切り替えた後に録画・録画予約を録画機に出力することで、インターネットからの制御を受ける環境に無い録画機を遠隔地から録画・録画予約をさせることが可能になる。
【００１８】
請求項６の発明による携帯型端末装置は、電子メール機能または外部メモリ装着部を有し、送信された録画指定番組情報が添付された電子メールから録画指定番組情報をデコードする手段を具備するものである。
【００１９】
この発明では、電子メール機能、外部メモリ装着部が付いた携帯電話、パーソナルコンピュータ等により、電子メールにより受信した録画指定番組情報をデコード、その内容を表示部へ表示させ、録画依頼を承諾するかを問うことを表示させる手段を用いる。また録画依頼元へ録画が承諾されたかどうかを電子メールにより返信することも機能として付け加えることも可能である。録画指定番組情報を外部メモリに記録させ、外部メモリ装着部が付いた録画機へその情報を読み込ませることで、録画・録画予約を可能にさせ、インターネットからの制御を受ける環境に無い録画機を遠隔地から録画・録画予約をさせることが可能になる。
【００２０】
請求項７の発明による携帯型端末装置は、電子メール機能または外部メモリ装着部を有し、録画指定番組情報と録画機の制御情報から録画・録画予約を録画機に行わせることができる情報へデータの変換ができる機能を具備するものである。
【００２１】
この発明では、電子メール機能、外部メモリ装着部が付いた携帯電話、パーソナルコンピュータ等により、電子メールにより受信した録画指定番組情報をデコードし、その内容を表示部へ表示させ、録画依頼を承諾するかを問うことを表示させる手段を用いる。また録画依頼元へ録画が承諾されたかどうかを電子メールにより返信することも機能として付け加えることも可能である。録画指定番組情報と録画機の制御情報から録画・録画予約を録画機に行わせることができる情報へデータの変換を行い、その録画指定番組情報と録画機の制御情報が統合された情報または録画指定番組情報を外部メモリに記録させ、外部メモリ装着部が付いたリモコン機能付装置へその情報を読み込ませリモコンから録画機への録画・録画予約を可能にさせる。これによりインターネットからの制御を受ける環境に無い録画機を遠隔地から録画・録画予約をさせることが可能になる。
【００２２】
以上のように、録画を第三者に要求したい者は、インターネット接続、メール機能付のＰＣ、携帯端末、及びメール機能付き、地上デジタル放送を受信できる携帯電話を利用して、ＥＰＧやＧ−コードから録画したい番組情報を取得する。取得した番組情報を録画して欲しい第三者にメール機能を用いて送信する。受け取った第三者は録画機のリモコンもしくはリモコン機能付き携帯電話、外部メモリを用いて、受け取った「録画したい番組情報と録画機を使って録画する為の制御情報」をリモコンから録画機に送信、または外部メモリを録画機に挿入し、録画の設定を行う。この機能を利用することで第三者は、スムーズに正しく録画することができる。
【発明の効果】
【００２３】
以上の手段を用いれば、インターネットと常時接続の録画制御環境が無くとも、携帯電話やＰＣのようなメール機能を有するものを使用し伝送することで、結果的には簡単なリモコン操作でいつでも録画・録画予約が簡単に操作でき、録画機を上手く扱えない子供やお年寄りなどでも気軽に録画・録画予約をすることが出来る。
【発明を実施するための最良の形態】
【００２４】
発明の実施の形態について図面を参照して説明する。
【００２５】
図１は電子メールに録画番組情報を添付、または電子メール自体にその情報を載せ、録画したい録画機へリモコンや外部メモリを使用して間接的に録画・録画予約をする概念図を示すものである。
【００２６】
図１で登場する絵は、典型的な例を示すものであり、例えば電子メールを取り扱える装置であれば、携帯電話に限らず、ＰＤＡ、ＰＣ等でも可能である。
【００２７】
録画したい番組の情報は、ＥＰＧ、Ｇ−コードである。
【００２８】
録画したい番組情報の情報源は、インターネットや地上ＴＶ放送、新聞雑誌などである。インターネットからＥＰＧを取得する場合は、ＷＥＢ６に接続し、ＥＰＧデータを持っているＥＰＧサーバー５へアクセスし、ＥＰＧ情報を入手できる。地上ＴＶ放送の場合では、放送波を受信できるチューナー機能を有する装置で、ＥＰＧデータをデコードできる機能をも有するものを使い、ＥＰＧデータを入手できる。新聞雑誌２からＧ−コードを入手した場合、電子メール機能に、その番組情報を入力でき、かつ図２にあるような電子メール送信先に番組情報を添付または記載してあることを知らせる特別なファーマットを付加させることで、録画機１３への録画・録画予約の操作を簡単にさせることが可能になる。
【００２９】
録画機へ録画したい番組情報を伝える間接的な手段として、図１にあるような外部メモリや赤外線リモコン等が考えられる。
【００３０】
Ｂｌｕｅｔｏｏｔｈ（登録商標）などを使用した近距離無線技術を応用した接続方法も可能である。
【００３１】
図３はＥＰＧデータまたはＧ−コードの取得と録画したい番組情報の電子メールへの付加までの系統図である。Ｓ１０１に示すＥＰＧデータ取得手段として、インターネットから取得する場合では、インターネットに接続するモデムや携帯電話のｉ−ｍｏｄｅ（登録商標）のような無線を利用した接続方法を持つ装置を示している。地上ＴＶ放送から取得する場合では、地上放送を取得するチューナー機能とＥＰＧをデコードする機能を有している装置を示している。
【００３２】
Ｓ１０２は、Ｓ１０１からのＥＰＧデータを一旦保存、データを渡すフラッシュメモリなどのメモリを示している。Ｓ１０３は、携帯端末等の液晶画面を示すＳ１０４の表示部へＥＰＧの内容を表示させるための表示制御機能を示している。Ｓ１０５はユーザーが録画してほしい番組を、ユーザーの入力部Ｓ１０６からの入力に従って選択、または見たい番組を入力されたキーワードに従って選択してくれる機能を有する装置であり、同時にその選択操作や選択結果を表示部へ出力させる為にＳ１０３が示す表示制御手段へその捜査情報を渡すことも行っている。録画したい番組が決まるとＳ１０９へ移行し、電子メールへその情報を添付または記載するかどうかをユーザーへ選択させ、電子メールを送信する。
【００３３】
上記にあるような番組検索では、ユーザーはジャンル別のＥＰＧデータから、番組視聴または録画の予約を行うことが可能である。
【００３４】
Ｇ−コードから録画したい番組を選択する場合は、直接ユーザーの入力操作などによってＧ−コードを記述する。ユーザーは、Ｇ−コードを電子メールによって相手に送信するため、Ｇ−コード専用の電子メールを立ち上げる。この操作はＳ１０６の入力部によって行われ、Ｓ１０７のＧ−コード入力制御手段がＧ−コード専用電子メールの立ち上げと同時に起動する。
【００３５】
録画機へ録画・録画予約を人為的な手段を介して行わせる為に、Ｓ１０７では、本人確認のために暗証番号をユーザーに要求し、Ｓ１０８のメモリ２にて記録してある図２のようなＧ−コード用の電子メールフォーマットを使用する。Ｇ−コード記述後に、Ｇ−コードを送信先の録画機または録画機を制御できる装置が認識できるようにデータの変換をＳ１０９の録画指定番組情報メール添付手段にて行う。
【００３６】
図３のＳ１０５、Ｓ１０７では、録画機が録画・録画予約するように録画機の制御情報に符号化、または電子メール送信先の携帯端末等が録画指定番組情報として認識できる符号化を行っている。前者の符号化では、電子メール受信者が直接録画機にその制御情報を入力することで録画・録画予約が可能となる。後者の符号化では、電子メール送信先が録画・録画予約依頼を認識し、録画機が制御できるようにさらにエンコードして、録画機へその制御情報を入力することで録画・録画予約が可能となる。または後者符号化の場合、将来的に録画機自体が電子メールの録画指定番組情報のみで録画を設定することも可能である。
【００３７】
図４では、録画指定番組情報を載せた受信メールから、録画・録画予約の情報をリモコン機能または外部メモリを介して録画・録画予約するまでの系統図を示している。
【００３８】
Ｓ２０１では、電子メールを受信し、録画指定番組情報をデコードする機能を表す。Ｓ２０２ではデコードされた録画指定番組情報を受け取るメモリ１を示している。Ｓ２０３は受信した電子メールの内容と録画指定番組情報の内容を表示部Ｓ２０４へ表示させるための表示制御機能である。ユーザーは表示部により電子メールの内容を知ることが出来、Ｓ２０５は録画を承諾するかどうかをユーザーに選択させる為に表示部へ表示させ、承諾か否かをＳ２０６の入力部によって判定する機能である。ユーザーが承諾した場合はＳ２０８へ移行する。
【００３９】
Ｓ２０８は受信した電子メールに録画機制御情報が付加されているかどうかを判断し、録画指定番組情報に録画機の制御情報、またはリモコン制御情報が入っていた場合は、録画機が録画・録画予約を設定できるようにそのデータを変換する。
【００４０】
Ｓ２０８は受信した電子メールに録画機制御情報が付加されているかどうかを判断し、録画指定番組情報に録画機の制御情報、またはリモコン制御情報が入っていなかった場合は、Ｓ２０７のメモリ２から録画機制御情報を録画指定番組情報に付加し、録画機が録画・録画予約を設定できるようにそのデータを変換する。
【００４１】
これにより、一度に「録画機の制御と録画したい番組情報を録画機に伝えるシステム」を提供することができる。
【００４２】
リモコン機能付の携帯電話が実際あるが、その場合Ｓ２１０のリモコン出力機能を有する携帯端末では、Ｓ２１０は録画機が録画・録画予約を設定できるようになったデータをリモコンに出力させる。その出力の操作はＳ２１０が表示部を制御し、操作方法のための情報を表示させ、Ｓ２０６の入力部にて操作を起こさせる。
【００４３】
外部メモリ付の携帯電話やパーソナルコンピュータ等の場合、Ｓ２０８は録画指定番組情報に録画機制御情報を付加した情報をＳ２０９の外部メモリ制御機能に受渡し、Ｓ２１１の外部メモリに記録させることも可能である。外部メモリを使って、外部メモリ用スロットを有する録画機に挿入、録画機に読み込ませ、録画・録画予約を行わせることが出来る。
【００４４】
以上、本発明では、第三者に録画・録画予約をしたい者は、ＥＰＧデータ、Ｇ−コードを取得する為のインターネット接続機能、地上デジタル放送を受信できる機能と番組情報を添付して第三者へ送信する電子メール機能を持つ携帯電話を有している。録画要求を受ける第三者は送信された番組情報を受け取る為の電子メール機能と録画機に録画・録画予約をさせるリモコン機能の付いた携帯電話を有する。
【００４５】
これにより、携帯電話でのやり取りだけでスムースに録画・録画予約を可能にすることが出来る。また第三者が録画・録画予約できる環境に無くとも、さらにその番組情報を添付した電子メールを録画環境のある者に転送することで、録画・録画予約を可能にすることが出来る。
【産業上の利用可能性】
【００４６】
本発明の電子メールを用いた簡易な録画設定システムは、電子番組ガイド（ＥＰＧ）データ、Ｇ−コードを用いて録画予約、録画する装置、かつインターネットを利用した録画・録画予約システムに関する技術を有し、移動体向け地上デジタル放送受信機等の録画・録画予約機能として有用である。
【図面の簡単な説明】
【００４７】
【図１】本発明の実施の形態における録画機への録画・録画予約を示した概念図
【図２】本発明の実施の形態におけるＧ−コード入力用のメールフォーマット例を示した図
【図３】本発明の実施の形態における送信側携帯電話の構成を示したブロック図
【図４】本発明の実施の形態における受信側携帯電話の構成を示したブロック図
【符号の説明】
【００４８】
１    電子メール機能付の携帯電話またはパーソナルコンピュータなど
２    新聞・雑誌・インターネット上のサイトなどのＧ−コード情報記載のメディア
３    地上デジタル放送、地上アナログ放送
４    携帯電話基地局
５    ＥＰＧサーバー（Ｇ−コードサーバー）
６    Ｗｅｂ
７    メールサーバー
８    携帯電話基地局
９    携帯電話
１０    電子メール機能のある外部メモリ装着部を有するパーソナルコンピュータなど
１１    外部メモリ
１２    リモコン機能付携帯電話
１３    録画機
Ｓ１０１    ＥＰＧデータ取得手段
Ｓ１０２    メモリ１
Ｓ１０３    ＥＰＧデータ表示制御手段
Ｓ１０４    表示部
Ｓ１０５    ＥＰＧデータ選択手段
Ｓ１０６    入力部
Ｓ１０７    Ｇ−コード入力手段
Ｓ１０８    メモリ２
Ｓ１０９    録画指定番組情報メール添付手段
Ｓ２０１    録画指定番組情報付メール取得手段
Ｓ２０２    メモリ１
Ｓ２０３    メール表示制御手段
Ｓ２０４    表示部
Ｓ２０５    録画承諾選択手段
Ｓ２０６    入力部
Ｓ２０７    メモリ２
Ｓ２０８    録画指定番組情報と録画機制御情報付加手段
Ｓ２０９    外部メモリ制御手段
Ｓ２１０    リモコン出力手段
Ｓ２１１    外部メモリ
【図１】
2006060357.tif 000003
【図２】
2006060357.tif 000004
【図３】
2006060357.tif 000005
【図４】
2006060357.tif 000006